(57)【要約】【課題】隣り合った光源基板の間に形成される隙間に由来する輝度ムラの発生が抑制された照明装置の提供。【解決手段】本発明の照明装置１２は、複数の光源１６が列状に並ぶ光源列Ｌ１と、光源列Ｌ１と対向する光入射面１９ｃと、光出射面１９ａを有する導光板１９と、光源列Ｌ１が複数のサブ光源列Ｌ１１，Ｌ１２に分かれるように各々がサブ光源列Ｌ１１，Ｌ１２毎に割り当てられ、光源１６が実装され光入射面１９ｃと対向する実装面１７ａを各々が有し、隣り合った端部間に隙間が形成されるように列状に並べられる複数の光源基板１７と、隣り合った一対の光源基板１７，１７のうち、一方の端部１７１に延設され、実装面１７ａよりも奥まった所に光入射面１９ｃと対向し光を反射する光反射面２２ｂを有し、光源基板１７，１７の隙間Ｓ１から光反射面２２ｂの一部が露出する形で他方の光源基板１７の端部１７２と重畳する光反射延設部２２とを備える。【選択図】図４
2014029804.tif 000002
【特許請求の範囲】
【請求項１】
複数の光源が互いに間隔を保ちつつ列状に並べられてなる光源列と、
板状部材であって、前記板状部材の端面からなり前記光源列と対向し前記光源からの光が入射される光入射面と、前記板状部材の表側の板面からなり前記光入射面から入射された光を出射させる光出射面とを有する導光板と、
前記光源列が複数のサブ光源列に分かれるように各々が前記サブ光源列毎に割り当てられ、前記光源が実装されると共に前記光入射面と対向する実装面を各々が有し、隣り合った端部間に隙間が形成されるように列状に並べられる複数の光源基板と、
隣り合った一対の前記光源基板のうち、一方の前記光源基板の端部に延設され、前記光入射面から遠ざかる形で前記実装面よりも奥まった所に前記光入射面と対向し光を反射する光反射面を有し、一対の前記光源基板間に形成される隙間から前記光反射面の一部が露出する形で他方の前記光源基板の端部と重畳する光反射延設部と、を備える照明装置。
【請求項２】
他方の前記光源基板の前記端部における前記実装面の反対側に設けられ、前記光反射延設部が収容される収容部を備える請求項１に記載の照明装置。
【請求項３】
前記収容部は、他方の前記光源基板の前記端部における厚みが薄くなるように、前記実装面の反対側から凹んだ形をなす請求項２に記載の照明装置。
【請求項４】
前記収容部は、他方の前記光源基板の前記端部における前記反対側と、前記光反射延設部の前記光反射面との間に隙間が形成されるような大きさを有する請求項２又は請求項３に記載の照明装置。
【請求項５】
前記実装面は、前記光源が実装されていない領域に光反射膜を含む請求項１から請求項４のいずれか一項に記載の照明装置。
【請求項６】
前記光反射面は、前記実装面に対して平行に配されている請求項１から請求項５のいずれか一項に記載の照明装置。
【請求項７】
他方の前記光源基板の前記端部における前記実装面に、前記光源が前記収容部と重畳する形で実装されている請求項２から請求項６のいずれか一項に記載の照明装置。
【請求項８】
前記光反射面は、前記光源基板の前記実装面よりも光反射率が高く設定されている請求項１から請求項７のいずれか一項に記載の照明装置。
【請求項９】
一方の前記光源基板と他方の前記光源基板とが、共通化されている請求項１から請求項８のいずれか一項に記載の照明装置。
【請求項１０】
前記光反射面は、絶縁性の光反射膜からなる請求項１から請求項９のいずれか一項に記載の照明装置。
【請求項１１】
請求項１から請求項１０のいずれか一項に記載の照明装置と、前記照明装置からの光を利用して表示を行う表示パネルとを備える表示装置。
【請求項１２】
前記表示パネルは、一対の基板間に液晶を封入してなる液晶パネルからなる請求項１１に記載の表示装置。
【請求項１３】
請求項１１又は請求項１２に記載された表示装置を備えるテレビ受信装置。
【発明の詳細な説明】
【技術分野】
【０００１】
本発明は、照明装置、表示装置及びテレビ受信装置に関する。
【背景技術】
【０００２】
テレビ、携帯電話、携帯情報端末等の表示装置に、液晶パネルが利用されている。液晶パネルは、画像を表示させるために、外部の光を利用する必要がある。そのため、この種の表示装置は、特許文献１に示されるように、液晶パネルと共に、液晶パネルに光を供給するための照明装置（所謂、バックライト装置）を備えている。この照明装置は、液晶パネルの背面側に配されており、面状に広がった光を液晶パネルの背面に向けて照射するように構成されている。
【０００３】
前記照明装置としては、特許文献１に示されるように、透明な板状部材からなる導光板と、この導光板の端面と対向するように配される光源ユニットとを備えた、所謂、エッジライト型（又はサイドライト型）のものが知られている。導光板の前記端面は、光源ユニットから発せられた光が入射される光入射面となっており、また、導光板の表側の板面は前記光入射面から入射された光を出射させる光出射面となっている。この種の照明装置では、近年、前記光源ユニットとして、複数個のＬＥＤ（Ｌｉｇｈｔ  Ｅｍｉｔｔｉｎｇ  Ｄｉｏｄｅ）が長尺状のＬＥＤ基板上に実装されたもの（以下、ＬＥＤユニット）が汎用されている。なお、ＬＥＤ基板の表面には、光を反射する光反射層（光反射膜）が形成されている。
【０００４】
ところで、照明装置の大型等に伴い、複数本のＬＥＤユニットを一列に並べた状態で前記光入射面と対向するように配置されることがある。この場合、隣り合ったＬＥＤユニットの間には、ＬＥＤ基板の熱膨張、ＬＥＤ基板の寸法公差、及びＬＥＤ基板の取付公差等を許容するために、若干の隙間が確保されている。
【先行技術文献】
【特許文献】
【０００５】
【特許文献１】特開２００９−２２４３０１号公報
【発明の概要】
【発明が解決しようとする課題】
【０００６】
上述した照明装置のように、複数本のＬＥＤユニットを一列に並べた状態で導光板の光入射面に対向配置させると、隣り合ったＬＥＤユニット（ＬＥＤ基板）の間に形成される隙間の前方部分の輝度が、その周りの部分の輝度よりも低くなるという問題があった。前記隙間には、ＬＥＤ基板の表面上に形成されているような光反射層が設けられていない。そのため、前記隙間に光が進入しても、前記光が効率良く光入射面側に向かうことができなくなっている。その結果、導光板の光入射面のうち、前記隙間と対向する部分は、入射される光の量がその他の部分よりも少なくなるため、導光板を表側から平面視した際、前記隙間の前方部分の導光板（光出射面）に、周辺よりも輝度が低くＬＥＤの光出射方向に沿ったスジ状の暗部が現れることになる。このような暗部が導光板に現れると、照明装置の光出射面から出射される面状の光に輝度ムラが発生し、ひいては表示装置の表示ムラが発生し、問題となっている。
【０００７】
本発明は、隣り合った光源基板の間に形成される隙間に由来する輝度ムラの発生が抑制された照明装置等を提供することである。
【課題を解決するための手段】
【０００８】
本発明に係る照明装置は、複数の光源が互いに間隔を保ちつつ列状に並べられてなる光源列と、板状部材であって、前記板状部材の端面からなり前記光源列と対向し前記光源からの光が入射される光入射面と、前記板状部材の表側の板面からなり前記光入射面から入射された光を出射させる光出射面とを有する導光板と、前記光源列が複数のサブ光源列に分かれるように各々が前記サブ光源列毎に割り当てられ、前記光源が実装されると共に前記光入射面と対向する実装面を各々が有し、隣り合った端部間に隙間が形成されるように列状に並べられる複数の光源基板と、隣り合った一対の前記光源基板のうち、一方の前記光源基板の端部に延設され、前記光入射面から遠ざかる形で前記実装面よりも奥まった所に前記光入射面と対向し光を反射する光反射面を有し、一対の前記光源基板間に形成される隙間から前記光反射面の一部が露出する形で他方の前記光源基板の端部と重畳する光反射延設部と、を備える。前記照明装置が、このような構成を備えていると、一対の前記光源基板間に形成される隙間に進入した光は、前記隙間から露出する前記光反射面によって前記導光板の前記光入射面側に反射されることになる。その結果、導光板の光入射面のうち前記隙間と対向する部分と、それ以外の部分との間における光入射量の差が少なくなり、導光板の光出射面から出射される光に前記隙間に由来する輝度ムラが発生することが抑制される。
【０００９】
前記照明装置において、他方の前記光源基板の前記端部における前記実装面の反対側に設けられ、前記光反射延設部が収容される収容部を備えるものであってもよい。前記照明装置が、収容部を備えていると、光反射延設部の位置を光源基板の厚み方向に沿って調節することが可能となる。つまり、光反射延設部に形成されている光反射面の位置を前後方向に調節することができる。また、収容部設けられることによって、光反射延設部と、前記収容部が設けられている他方の前記光源基板の端部とが重畳した部分の厚みを小さくすることができる。
【００１０】
前記照明装置において、前記収容部は、他方の前記光源基板の前記端部における厚みが薄くなるように、前記実装面の反対側から凹んだ形をなすものであってもよい。前記収容部が、このような凹んだ形であると、前記光反射延設部を収容し易い。
【００１１】
前記照明装置において、前記収容部は、他方の前記光源基板の前記端部における前記反対側と、前記光反射延設部の前記光反射面との間に隙間が形成されるような大きさを有するものであってもよい。前記収容部がこのような大きさを有するものであると、前記一対の光源基板が熱膨張等の影響により伸縮して、各端部が移動した場合であっても、収容部が設けられている前記光源基板の端部が、光反射延設部に接触することが抑制される。したがって、収容部が設けられている前記光源基板の端部が接触して、光反射層が剥がれる等して損傷することが抑制される。
【００１２】
前記照明装置において、前記実装面は、前記光源が実装されていない領域に光反射膜を含むものであってもよい。光源基板の実装面が、光反射膜を含んでいると、光源から発せられた光が実装面で反射されて、光入射面に入射する光を多くすることができる。
【００１３】
前記照明装置において、前記実装面に対して平行に配されているものであってもよい。このように、光反射面が実装面に対して平行に配されていると、光源基板の実装面と光反射面とが、同じ方向（つまり、光入射面側）を向くことになり、光反射面は、実装面と同じように、光入射面側に効率よく、光を反射し易くなる。
【００１４】
前記照明装置において、他方の前記光源基板の前記端部における前記実装面に、前記光源が前記収容部と重畳する形で実装されているものであってもよい。
【００１５】
前記照明装置において、前記光反射面は、前記光源基板の前記実装面よりも光反射率が高く設定されているものであってもよい。前記光反射面は、光源基板の実装面と比べて、導光板の光入射面から遠ざかっており、位置的に光反射効率が低くなっている。そのため、前記隙間に進入した光が光反射面（特に、隙間から露出する部分の光反射面）によって高効率で反射されることにより、隙間と対向する部分の光入射面に、反射光が入射され易くなっている。その結果、導光板の光入射面のうち隙間と対向する部分と、それ以外の部分との間における光入射量の差がより少なくなり、導光板の光出射面から出射される光に前記隙間に由来する輝度ムラが発生することがより抑制されることになる。
【００１６】
前記照明装置において、一方の前記光源基板と他方の前記光源基板とが、共通化されているものであってもよい。前記照明装置において、一方の前記光源基板と他方の前記光源基板とが、共通化されていると、光源基板の種類を少なくすることができ、製造コスト等を削減することができる。
【００１７】
前記照明装置において、前記光反射面は、絶縁性の光反射膜からなるものであってもよい。前記光反射面が絶縁性の光反射膜からなると、一方の前記光源基板の端部に設けられている前記光反射延設部が、他方の前記光源基板に接触等して、互いに不必要な通電が発生することが抑制される。
【００１８】
本発明に係る表示装置は、前記照明装置と、前記照明装置からの光を利用して表示を行う表示パネルとを備える。
【００１９】
前記表示装置において、前記表示パネルは、一対の基板間に液晶を封入してなる液晶パネルからなるものであってもよい。
【００２０】
本発明に係るテレビ受信装置は、前記表示装置を備える。
【発明の効果】
【００２１】
本発明によれば、隣り合った光源基板の間に形成される隙間に由来する輝度ムラの発生が抑制された照明装置等を提供できる。
【図面の簡単な説明】
【００２２】
【図１】本発明の実施形態１に係るテレビ受信装置の概略構成を示す分解斜視図
【図２】液晶表示装置の概略構成を示す分解斜視図
【図３】液晶表示装置の短辺方向に沿った断面構成を示す断面図（図２のＡ−Ａ’線断面図）
【図４】照明装置の平面図
【図５】隣り合った一対のＬＥＤユニットの上面図
【図６】図５の拡大図
【図７】図６の正面図
【図８】実施形態２に係る照明装置で利用される一対のＬＥＤユニットにおける隣接部分の拡大上面図
【図９】実施形態３に係る照明装置で利用される一対のＬＥＤユニットにおける隣接部分の拡大上面図
【図１０】実施形態４に係る照明装置で利用される一対のＬＥＤユニットの上面図
【図１１】実施形態５に係る照明装置で利用される一対のＬＥＤユニットにおける隣接部分の拡大上面図
【発明を実施するための形態】
【００２３】
＜実施形態１＞
本発明の実施形態１を、図１から図７を参照しつつ説明する。本実施形態では、照明装置１２と、この照明装置１２を備える液晶表示装置１０と、この液晶表示装置１０を備えるテレビ受信装置ＴＶについて例示する。なお、各図面には、Ｘ軸、Ｙ軸及びＺ軸が示されている。また、図２及び図３に示される上側を表側とし、同図下側を裏側として、照明装置１２等をする。
【００２４】
図１は、実施形態１に係るテレビ受信装置ＴＶの概略構成を示す分解斜視図である。図１に示されるように、本実施形態のテレビ受信装置ＴＶは、主として、液晶表示装置（表示装置）１０と、この液晶表示装置１０を挟むようにして収納する表裏両キャビネットＣａ，Ｃｂと、電源Ｐと、チューナーＴと、スタンドＳとを備える。液晶表示装置１０は、その表示面が鉛直方向（Ｙ軸方向）に沿うように、スタンドＳによって支持されている。
【００２５】
図２は、液晶表示装置１０の概略構成を示す分解斜視図である。図３は、液晶表示装置１０の短辺方向に沿った断面構成を示す断面図（図２のＡ−Ａ’線断面図）である。図２に示されるように、液晶表示装置１０は、表側から平面視した際に、全体として横長の矩形状をなしており、液晶パネル（表示パネル）１１と、この液晶パネル１１の背面１１ｂ側に配される照明装置１２と、液晶パネル１１の表側（表示面１１ａ側）から被せられる額縁状のベゼル１３とを備える。これらは、前記ベゼル１３等を照明装置１２に取り付けることによって一体的に保持されている。なお、ベゼル１３は、金属材料等からなる。
【００２６】
液晶パネル１１は、図２に示されるように、表側から平面視した際に、全体として横長の矩形状をなしている。液晶パネル１１は、主として、互いに向かい合う一対の透明なガラス基板と、これらの基板間に封入される液晶層とを備える。これらの基板のうち、背面１１ｂ側（裏側）に配される一方のガラス基板は、所謂、薄膜トランジスタ（以下、ＴＦＴ）アレイ基板であり、表示面１１ａ側（表側）に配される他方のガラス基板は、所謂、カラーフィルタ（以下、ＣＦ）基板である。
【００２７】
ＴＦＴアレイ基板は、主として、透明なガラス製の板上に、スイッチング素子としての複数個のＴＦＴと、各ＴＦＴのドレイン電極に接続する透明な複数個の画素電極とがマトリクス状（行列状）に設けられたものからなる。個々のＴＦＴ及び画素電極は、画素毎に設けられており、互いに交差するように前記ガラス製の板上に設けられている複数本のゲート配線と、複数本のソース配線とによって区画されている。なお、各ＴＦＴにおけるゲート電極は前記ゲート配線と接続し、それらのソース電極は前記ソース配線と接続している。
【００２８】
ＣＦ基板は、主として、透明なガラス製の板上に、赤色（Ｒ）、緑色（Ｇ）、青色（Ｂ）等の各色からなるＣＦが、前記ＴＦＴアレイ基板の各画素に対応するように、マトリクス状に設けられたものからなる。各ＣＦは、前記ガラス製の板上に格子状に設けられている遮光性のブラックマトリクス（ＢＭ）によって区画されている。なお、前記ＣＦ及び前記ＢＭ上には、前記ＴＦＴアレイ基板の画素電極と向かい合う透明な対向電極等が設けられている。
【００２９】
液晶パネル１１は、上述したソース配線、ゲート配線及び対向電極等に、駆動回路基板から画像を表示するために必要な画像データや各種制御信号が供給されるように構成されており、所謂、アクティブマトリクス方式で駆動する。なお、液晶パネル１１には、その表示面１１ａ側と背面１１ｂ側に、前記一対のガラス基板を挟むようにそれぞれ偏光板（不図示）が設けられている。
【００３０】
照明装置１２は、所謂、エッジライト型（サイドライト型）であり、主として、シャーシ１４と、光学シート１５と、ＬＥＤユニット（光源ユニット）ＬＵと、導光板１９と、反射シート２０と、フレーム２１とを備えている。
【００３１】
シャーシ１４は、上側が開口した浅底の箱状をなし、アルミニウム系材料等の金属材料からなる板材をプレス加工等して形成される。シャーシ１４は、表側から平面視した際に横長の矩形状である底部１４ａと、この底部１４ａの長辺方向の縁に立設されている一対の壁部１４ｃ，１４ｄと、前記底部１４ａの短辺側の縁に立設されている一対の壁１４ｅ，１４ｆとを備える。
【００３２】
ＬＥＤユニットＬＵは、主として、複数個のＬＥＤ（光源）１６と、ＬＥＤ基板（光源基板）１７とを備えている。ＬＥＤユニットＬＵは、全体的には長手状をなしており、照明装置１２の各長辺側に、それぞれ配されている。各長辺側には、それぞれ２つのＬＥＤユニットＬＵが一列に並べられた状態で、各壁部１４ｃ，１４ｄに沿うように配されている。つまり、照明装置１２では、合計４つのＬＥＤユニットＬＵが利用されている。
【００３３】
ＬＥＤ１６は、発光素子である複数個のＬＥＤチップを樹脂材等でハウジング内に封止したもの（所謂、ＬＥＤパッケージ）からなり、白色発光するように構成されている。ＬＥＤ１６としては、例えば、主発光波長の異なる三種類のＬＥＤチップを内蔵したものからなり、具体的には、各ＬＥＤチップが赤色（Ｒ）、緑色（Ｇ）、青色（Ｂ）を単色発光するように構成されている。なお、ＬＥＤ１６としては、このような構成に限られず、他の構成であってもよい。ＬＥＤ１６の他の構成としては、例えば、青色（Ｂ）を単色発光するＬＥＤチップを内蔵し、赤色（Ｒ）の領域に発光ピークを持つ蛍光体と、緑色（Ｇ）の領域に発光ピークを持つ蛍光体とが混入された樹脂（例えば、シリコン系樹脂）で、そのＬＥＤチップを覆った構成であってもよい。また、他の構成としては、青色（Ｂ）を単色発光するＬＥＤチップを内蔵し、ＹＡＧ（イットリウム・アルミニウム・ガーネット）蛍光体等の黄色発光する蛍光体が混入された樹脂（例えば、シリコン系樹脂）で、そのＬＥＤチップを覆った構成であってもよい。
【００３４】
ＬＥＤ基板１７は、全体的には、シャーシ１４の長辺方向（Ｘ軸方向）に沿って細長く延びた板状（長尺状）をなしている。ＬＥＤ基板１７は、その表側の板面（実装面）１７ａがＸ軸方向及びＺ軸方向に沿った姿勢（つまり、導光板１９の板面１９ａと直交させた姿勢）で、シャーシ１４内に収容されている。ＬＥＤ基板１７は、その裏側の板面１７ｂが、シャーシ１４の壁部１４ｃ（又は壁部１４ｄ）に接触した状態で、壁部１４ｃ（又は壁部１４ｄ）に図示されないネジ（ビス）等の固定手段によって固定されている。
【００３５】
ＬＥＤ基板１７は、主として、アルミニウム系材料等の金属材料からなる長尺状（帯状）の基材と、この基材上に形成される合成樹脂からなる絶縁層と、この絶縁層上に形成される銅箔等の金属膜からなる配線パターンと、この配線パターンを覆うように前記絶縁層上に形成される白色の絶縁膜からなる反射層（反射膜）とを備える。なお、説明の便宜上、各図には、ＬＥＤ基板１７における前記基材、絶縁層、配線パターン及び反射層は、一体的に示されている。
【００３６】
ＬＥＤ基板１７の表側の板面（実装面）１７ａ上には、複数個のＬＥＤ１６が表面実装されている。各ＬＥＤ１６は、板面１７ａ上において、ＬＥＤ基板１７の長手方向（Ｘ軸方向）に沿って一列に並んでいる。各ＬＥＤ１６は、板面（実装面）１７ａ上において、互いに同じ形状（外観形状）であると共に、互いに等間隔で並んでいる。各ＬＥＤ１６は、ＬＥＤ基板１７毎に、前記配線パターンによって互いに直列接続されている。なお、ＬＥＤユニットＬＵの更なる説明は、後述する。
【００３７】
反射シート２０は、表側から平面視した際に、シャーシ１４の底部１４ａ等と同様、横長の矩形状をなしている。本実施形態の反射シート２０は、白色の発泡プラスチックシート（例えば、発泡ポリエチレンテレフタレートシート）からなる。この反射シート２０は、導光板１９の裏側の板面１９ｆを覆うように、底部１４ａに載せられる形で、シャーシ１４内に収容されている。つまり、反射シート２０は、導光板１９とシャーシ１４の底部１４ａとの間で挟まれる形となっている。
【００３８】
導光板１９は、液晶パネル１１及びシャーシ１４と同様、平面に視て横長の矩形状であり、所定の厚みを有する板状部材からなる。導光板１９は、屈折率が空気よりも硬くかつ略透明な合成樹脂材料（例えば、ＰＭＭＡ等のアクリル樹脂やポリカーボネート樹脂等）から製造される。導光板１９は、光学シート１５よりも厚みが大きな板状をなしている。導光板１９は、その主面（表側の板面１９ａ，裏側の板面１９ｂ）における長辺方向がＸ軸方向と一致し、その短辺方向がＹ軸方向と一致し、そして主面（板面１９ａ，１９ｂ）と直交する板厚方向がＺ軸方向と一致するように、各図に示されている。導光板１９は、その裏側の板面１９ｂが、反射シート２０を介して底部１４ａと対向するようにシャーシ１４内に収容される。
【００３９】
導光板１９の長辺側における２つの端面１９ｃ，１９ｄの外側には、それぞれＬＥＤユニットＬＵが配されている。各端面１９ｃ，１９ｄに対して、ＬＥＤユニットＬＵの各ＬＥＤ１６がそれぞれ所定間隔を保ちつつ対向している。なお、導光板１９の端面１９ｃ，１９ｄは、ＬＥＤ１６から発せられた光が入射される光入射面１９ｃ，１９ｄとなっている。導光板１９は、光入射面１９ｃ，１９ｄから入射された光を、内部で伝播させつつ表側へ向かうように立ち上げて出射させる機能を有する。導光板１９の表側の板面１９ａは、光入射面１９ｃ，１９ｄから入射された光を、液晶パネル１１（光学シート１５）に向けて出射させる光出射面１９ａとなっている。
【００４０】
なお、光入射面１９ｃ，１９ｄは、Ｘ軸方向及びＺ軸方向（ＬＥＤ基板１７の主板面１７ａ）に沿ってそれぞれ平行に配されており、光出射面１９ａに対して略直交している。また、導光板１９の短辺側における２つの端面１９ｅ，１９ｆは、Ｙ軸方向及びＺ軸方向に沿ってそれぞれ平行に配されており、光出射面１９ａに対して略直交している。
【００４１】
導光板１９の光出射面１９ａ又は裏側の板面１９ｂの少なくともいずれか一方には、導光板１９内部の光を反射させる反射部（不図示）、又は導光板１９内部の光を散乱させる散乱部（不図示）が所定の面内分布を持つようパターニングされている。それらによって、光出射面１９ａからの出射光が面内において均一な分布となるように調節されている。
【００４２】
光学シート１５は、図２等に示されるように、液晶パネル１１等と同様、表側から平面視した際に、横長の矩形状をなしている。光学シート１５は、拡散シート１５ａ、レンズシート１５ｂ、及び反射型偏光シート１５ｃの積層物からなる。光学シート１５は、導光板１９の表側の板面（光出射面）１９ａを覆うように、前記板面１９ａ上に載せられている。光学シート１５の大きさは、導光板１９の板面１９ａの大きさと、略同じに設定されている。
【００４３】
フレーム２１は、液晶パネル１１及び導光板１９の周縁に沿った額縁状（枠状）の部材であり、合成樹脂等からなる。フレーム２１は黒色であり、遮光性を有する。フレーム２１は、導光板１９の端部を、光学シート１５を介して略全周に亘って表側から押さえる。フレーム２１は、導光板１９等を収容したシャーシ１４の各壁部１４ｃ，１４ｄ，１４ｅ，１４ｆの上端側から被せられる。フレーム２１は、シャーシ１４の各壁部１４ｃ，１４ｄ，１４ｅ，１４ｆに、ネジ等の固定手段（不図示）によって固定される。なお、フレーム２１の内周縁上には、液晶パネル１１の周縁が載せられている。
【００４４】
液晶パネル１１は、その周縁が、フレーム２１とこのフレーム２１の表側から被せられる上述したベゼル１３とによって挟まれた状態で、シャーシ１４に取り付けられている。なお、ベゼル１３は、フレーム２１等と共にシャーシ１４の各壁部１４ｃ，１４ｄ，１４ｅ，１４ｆに、ネジ等の固定手段（不図示）によって固定される。
【００４５】
次いで、ＬＥＤユニットＬＵについて、詳細に説明する。図４は、照明装置１２の平面図である。図４には、フレーム２１や光学シート１５が取り除かれた状態の照明装置１２が示されている。図４に示されるように、導光板１９の一方の光入射面１９ｃと対向する形で、一列に並べられた一対（２つ）のＬＥＤユニットＬＵ１，ＬＵ２が配されている。隣り合ったＬＥＤユニットＬＵ１，ＬＵ２の間（隣り合ったＬＥＤ基板１７の間）には、隙間Ｓ１が形成されている。この隙間Ｓ１は、ＬＥＤ基板１７の熱膨張、ＬＥＤ基板１７の寸法公差及びＬＥＤ基板１７の取付公差等を許容するために、設けられるものである。隙間Ｓ１の前方には、光入射面１９ｃが配されており、隙間Ｓ１は光入射面１９ｃと対向する形となっている。光入射面１９ｃのうち、隙間Ｓ１と対向する部分は、光入射面１９ｃの長辺方向において略中央に位置している。ＬＥＤ基板１７の長手方向（Ｘ軸方向）における隙間Ｓ１の大きさ（幅）は、適宜、設定される。
【００４６】
一方のＬＥＤユニットＬＵ１が備える各ＬＥＤ１６と、他方のＬＥＤユニットＬＵ２が備える各ＬＥＤ１６とは、一列に繋がった１つのＬＥＤ列（光源列）Ｌ１を形成している。ＬＥＤ列Ｌ１は、Ｘ軸方向に沿って伸びた状態で、光入射面１９ｃと間隔を保ちつつ対向している。ＬＥＤ列Ｌ１を構成する各ＬＥＤ１６のうち、ＬＥＤユニットＬＵ１に割り当てられている複数個のＬＥＤ１６は、ＬＥＤユニットＬＵ１のＬＥＤ基板１７上でサブＬＥＤ列（サブ光源列）Ｌ１１をなしている。また、ＬＥＤ列Ｌ１を構成する各ＬＥＤ１６のうち、ＬＥＤユニットＬＵ２に割り当てられている複数のＬＥＤ１６は、ＬＥＤユニットＬＵ２のＬＥＤ基板１７上で他のサブＬＥＤ列（サブ光源列）Ｌ１１をなしている。本実施形態の場合、ＬＥＤ列Ｌ１は、合計２０個のＬＥＤ１６により構成されている。そして、ＬＥＤ列Ｌ１を構成する２０個のＬＥＤ１６は、それぞれ１０個のＬＥＤ１６からなるサブＬＥＤ列Ｌ１１，Ｌ１２毎に、ＬＥＤユニットＬＵ１，ＬＵ２に割り当てられている。なお、サブＬＥＤ列Ｌ１１を構成する各ＬＥＤ１６の間隔Ｐ１と、サブＬＥＤ列Ｌ１２を構成する各ＬＥＤ１６の間隔（ピッチ）とは、共に同じ間隔（大きさ）に設定されている。また、ＬＥＤユニットＬＵ１側の端部１７１上に実装されているＬＥＤ１６と、ＬＥＤユニットＬＵ２側の端部１７２上に実装されているＬＥＤ１６との間の間隔は、上述した間隔Ｐ１と略同じになるように設定される。
【００４７】
これに対して、図４に示されるように、導光板１９の他方の光入射面１９ｄと対向する形で、一列に並べられた他の一対（２つ）のＬＥＤユニットＬＵ３，ＬＵ４が配されている。隣り合ったＬＥＤユニットＬＵ３，ＬＵ４の間（隣り合ったＬＥＤ基板１７の間）にも、上述した隙間Ｓ１と同様な隙間Ｓ２が形成されている。隙間Ｓ２の前方には、光入射面１９ｄが配されており、隙間Ｓ２は光入射面１９ｄと対向する形となっている。また、一方のＬＥＤユニットＬＵ３が備える各ＬＥＤ１６と、他方のＬＥＤユニットＬＵ４が備える各ＬＥＤ１６とは、一列に繋がった１つのＬＥＤ列（光源列）Ｌ２を形成している。つまり、本実施形態の照明装置１２は、２本のＬＥＤ列Ｌ１，Ｌ２を備えている。ＬＥＤ列Ｌ２は、Ｘ軸方向に沿って伸びた状態で、光入射面１９ｄと間隔を保ちつつ対向している。
【００４８】
ＬＥＤ列Ｌ２を構成する各ＬＥＤ１６のうち、ＬＥＤユニットＬＵ３に割り当てられている複数個のＬＥＤ１６は、ＬＥＤユニットＬＵ３のＬＥＤ基板１７上でサブＬＥＤ列（サブ光源列）Ｌ２１をなしている。また、ＬＥＤ列Ｌ２を構成する各ＬＥＤ１６のうち、ＬＥＤユニットＬＵ４に割り当てられている複数のＬＥＤ１６は、ＬＥＤユニットＬＵ４のＬＥＤ基板１７上で他のサブＬＥＤ列（サブ光源列）Ｌ２２をなしている。ＬＥＤ列Ｌ２も、ＬＥＤ列Ｌ１と同様、合計２０個のＬＥＤ１６により構成されている。そして、ＬＥＤ列Ｌ２を構成する２０個のＬＥＤ１６は、それぞれ１０個のＬＥＤ１６からなるサブＬＥＤ列Ｌ２１，Ｌ２２毎に、ＬＥＤユニットＬＵ３，ＬＵ４に割り当てられている。なお、サブＬＥＤ列Ｌ２１を構成する各ＬＥＤ１６の間隔（ピッチ）と、サブＬＥＤ列Ｌ２２を構成する各ＬＥＤ１６の間隔（ピッチ）とは、共に同じ間隔（Ｐ１）に設定されている。
【００４９】
ここで、導光板１９の光入射面１９ｃ側に配されるＬＥＤ列Ｌ１を構成する一対のＬＥＤユニットＬＵ１，ＬＵ２を例に挙げて説明する。図５は、隣り合った一対のＬＥＤユニットＬＵ１，ＬＵ２の上面図であり、図６は、図５の拡大図であり、図７は、図６の正面図である。図５には、照明装置１２（図４参照）を表側から平面視した際に、シャーシ１４内に配されているＬＥＤユニットＬＵ１，ＬＵ２の状態が示されている。図５の左側に、一方のＬＥＤユニットＬＵ１が示され、その右側に、他方のＬＥＤユニットＬＵ２が示されている。図５及び図６に示されるように、一方のＬＥＤユニットＬＵ１におけるＬＥＤ基板１７の実装面１７ａと、他方のＬＥＤユニットＬＵ２におけるＬＥＤ基板１７の実装面１７ａとは、略同一平面上に配されている。なお、各実装面１７ａの最表面は、白色の絶縁膜からなる反射層（反射膜）が形成されている。この反射層は、各実装面１７ａのうち、ＬＥＤ１６が実装されていない部分（領域）に形成されている。
【００５０】
隣り合った一対のＬＥＤユニットＬＵ１，ＬＵ２のうち、一方のＬＥＤユニットＬＵ１の端部１７１には、隙間Ｓ１に進入する光を反射させる光反射延設部２２が設けられている。そして、他方のＬＥＤユニットＬＵ２の端部１７２には、光反射延設部２２を収容する収容部２３が設けられている。
【００５１】
光反射延設部２２は、図６等に示されるように、ＬＥＤユニットＬＵ１側のＬＥＤ基板１７の端部１７１において、前記端部１７１よりも厚みの小さい板状片が前記端部１７１から長手方向（Ｘ軸方向）に沿って外側に延びた形をなしている。そして、光反射延設部２２は、ＬＥＤユニットＬＵ１における実装面１７ａよりも奥側（実装面１７ａとは反対側）に引っ込む形で、ＬＥＤユニットＬＵ１の端部１７１に設けられている。このように奥側に引っ込む形で光反射延設部２２が端部１７１に形成されているため、光反射延設部２２の前方（光反射延設部２２が導光板１９を向く方向）には、空間（スペース）が形成されることになる。この空間には、他方のＬＥＤユニットＬＵ２の端部１７２が配される。
【００５２】
光反射延設部２２は、ＬＥＤ基板１７の基材に一体的に連続した状態で設けられている支持本体部２２ａと、この支持本体部２２ａの表面（光入射面１９ｃ側を向く表面）に形成される光反射層（光反射面）２２ｂとを備えている。支持本体部２２ａは、ＬＥＤ基板１７の基材と同じ材質から形成されており、ＬＥＤ基板１７の基材の厚み（ＬＥＤ１６が実装されている部分の基材の厚み）よりも薄く設定されている。本実施形態の場合、支持本体部２２ａの厚みは、ＬＥＤ基板１７における前記基材の厚みの３分の１程度に設定されている。そして、導光板１９（光入射面１９ｃ）側を向く支持本体部２２ａの表面（前面）には、白色の光反射層（光反射膜）２２ｂが形成されている。この光反射層２２ｂの表面が、隙間Ｓ１に進入してきた光を光入射面１９ｃ側へ反射させる光反射面となる。このような光反射面を提供する光反射層２２ｂとしては、例えば、ＬＥＤ基板１７の実装面１７ａに形成されている反射層（白色の絶縁膜）と同じものを利用してもよいし、或いは、他の光反射性塗膜を利用してもよい。本実施形態の場合、光反射層２２ｂは、支持本体部２２ａの表面（前面）全域を覆う形で形成される。
【００５３】
光反射延設部２２は、ＬＥＤユニットＬＵ１に隣接する他方のＬＥＤユニットＬＵ２における端部１７２の背面１７ｂ側（実装面１７ａの反対側）に、配される。つまり、ＬＥＤユニットＬＵ１側の光反射延設部２２と、ＬＥＤユニットＬＵ２側の端部１７２とは、厚み方向（Ｙ軸方向）において互いに重畳する形となる。そして、ＬＥＤユニットＬＵ１側のＬＥＤ基板１７の端部１７１と、ＬＥＤユニットＬＵ２側のＬＥＤ基板１７の端部１７２との間（つまり、隙間Ｓ１）から、光反射延設部２２の光反射層２２ｂが、導光板１９の光入射面１９ｃ側に露出することになる。なお、光反射延設部２２が、ＬＥＤユニットＬＵ２側の端部１７２における背面１７ｂ側に配されることによって、光反射延設部２２が、ＬＥＤユニットＬＵ２側の端部１７２と干渉しないように、ＬＥＤユニットＬＵ２側の端部１７２の背面１７ｂ側に、光反射延設部２２を収容する空間（スペース）が設けられている。この空間が収容部２３となっている。
【００５４】
収容部２３は、ＬＥＤユニットＬＵ２側における端部１７２の背面１７ｂ側が、実装面１７ａ側に向かって凹んだような形をなしている。この収容部２３は、ＬＥＤ基板１７の長手方向（Ｘ軸方向）及び短手方向（Ｚ軸方向）に沿ってそれぞれ延びた形となっている。収容部２３は、ＬＥＤ基板１７の基材部分を、所定形状に切り欠くことによって形成できる。なお、ＬＥＤユニットＬＵ２側の端部１７２は、外側にＬＥＤ基板１７の長手方向に沿って突出した板片状をなしており、収容部２３が形成されることによって、厚みが他の部分（ＬＥＤ基板１７）よりも小さくなっている。本実施形態の場合、ＬＥＤユニットＬＵ２側の端部１７２における厚みは、収容部２３が形成されていない部分におけるＬＥＤ基板１７の厚みの３分の１程度に設定されている。
【００５５】
ＬＥＤユニットＬＵ２側の端部１７２と、ＬＥＤユニットＬＵ１側の光反射延設部２２とは、収容部２３に光反射延設部２２が収容されると、ＬＥＤ基板１７の厚み方向（Ｙ軸方向）において互いに間隔（隙間）Ｔを保ちつつ重畳する状態となる。互いに重畳した際に、このような間隔Ｔが形成されていると、ＬＥＤユニットＬＵ１，ＬＵ２が熱膨張等の影響により伸縮して、長手方向（Ｘ軸方向）に沿って各端部１７１，１７２が移動した場合であっても、ＬＥＤユニットＬＵ２側の端部１７２が、ＬＥＤユニットＬＵ１の端部１７１に設けられている光反射延設部２２に接触することが抑制される。したがって、ＬＥＤユニットＬＵ２側の端部１７２が接触して、光反射層２２ｂが剥がれる等して損傷することが抑制される。
【００５６】
図６等に示されるように、本実施形態では、厚みが小さくなっているＬＥＤユニットＬＵ２側の端部１７２上にも、ＬＥＤ１６が実装されている。つまり、ＬＥＤ基板１７の厚み方向（Ｙ軸方向）において、ＬＥＤユニットＬＵ２側のＬＥＤ１６と、収容部２３とが一部、重畳した形となっている。なお、前記端部１７２上には、ＬＥＤ１６の電極部１６１も実装されている。
【００５７】
図７に示されるように、ＬＥＤユニットＬＵ１側のＬＥＤ基板１７の端部１７１と、ＬＥＤユニットＬＵ２側のＬＥＤ基板１７の端部１７２との間に、隙間Ｓ１が形成されており、この隙間Ｓ１から、光反射延設部２２上に形成されている光反射層（光反射面）２２ｂが露出されている。この隙間Ｓ１は、各ＬＥＤユニットＬＵ１，ＬＵ２が熱膨張した場合、狭くなり、反対に熱収縮した場合には、広くなる。また、各ＬＥＤユニットＬＵ１，ＬＵ２の取付誤差、寸法誤差等の影響によって、隙間Ｓ１の大きさは、適宜、変化する。そのため、どのような大きさの隙間Ｓ１であっても、その隙間Ｓ１から光反射層（光反射面）２２ｂが確実に露出されるように、光反射層（光反射面）２２ｂを光反射延設部２２の支持本体部２２ａ上に形成する必要がある。
【００５８】
なお、光反射延設部２２が設けられていない方のＬＥＤユニットＬＵ１の端部１７３には、ＬＥＤユニットＬＵ２の端部１７２に設けられている収容部２３に相当する部分が形成されている。また、ＬＥＤユニットＬＵ２における収容部２３が設けられていない方の端部１７４には、ＬＥＤユニットＬＵ１の光反射延設部２２に相当する部分が形成されている。本実施形態の場合、ＬＥＤユニットＬＵ１の端部１７３に、収容部２３に相当する部分が形成されていても問題がなく、また、ＬＥＤユニットＬＵ２の端部１７４に、光反射延設部２２に相当する部分が形成されていても問題がない。本実施形態のＬＥＤユニットＬＵ１と、ＬＥＤユニットＬＵ２とは、互いに構造が共通化されており、部品の種類を削減することができ、製造コストを抑えることができる。
【００５９】
なお、導光板１９の光入射面１９ｄ側に配されている一対のＬＥＤユニットＬＵ３，ＬＵ４についても、上述したＬＥＤユニットＬＵ１，ＬＵ２と同様な構成を備えている。
【００６０】
液晶表示装置１０は、液晶パネル１１の表示面１１ａに画像を表示させる際、照明装置１２が備える各ＬＥＤユニットＬＵの各ＬＥＤ１６が発光（点灯）する。各ＬＥＤ１６が発光すると、導光板１９の端面（光入射面）１９ｃから導光板１９の内部に光が入射する。入射した光は、導光板１９の裏側に敷かれている反射シート２０、導光板１９の裏面１９ｂ又は表面１９ａに形成されている反射部等によって反射等されて、導光板１９内を進みつつ、その表側の板面（光出射面）１９ａから出射する。板面１９ａから出射した光は、光学シート１５を通過して面状に拡がった光となって、液晶パネル１１をその背面１１ｂから照らす。液晶パネル１１は、この照明装置１２からの光を利用して、表示面１１ａに画像を表示させている。
【００６１】
本実施形態の照明装置１２は、複数の光源が互いに間隔を保ちつつ列状に並べられてなるＬＥＤ列（光源列）Ｌ１，Ｌ２と、板状部材であって、前記板状部材の端面からなりＬＥＤ列（光源列）Ｌ１，Ｌ２と対向しＬＥＤ（光源）１６からの光が入射される光入射面１９ｃ，１９ｄと、前記板状部材の表側の板面１９ａからなり光入射面１９ｃ，１９ｄから入射された光を出射させる光出射面１９ａとを有する導光板１９と、ＬＥＤ列（光源列）Ｌ１，Ｌ２が複数のサブ光源列Ｌ１１，Ｌ１２，Ｌ２１，Ｌ２２に分かれるように各々が前記サブ光源列Ｌ１１，Ｌ１２，Ｌ２１，Ｌ２２毎に割り当てられ、ＬＥＤ（光源）１６が実装されると共に光入射面１９ｃ，１９ｄと対向する実装面１７ａ，１７ａを各々が有し、隣り合った端部１７１，１７２間に隙間Ｓ１，Ｓ２が形成されるように列状に並べられる複数のＬＥＤ基板（光源基板）１７１と、隣り合った一対のＬＥＤ基板（光源基板）１７１のうち、一方のＬＥＤ基板１７１の端部１７１に延設され、光入射面１９ｃ，１９ｄから遠ざかる形で実装面１７ａよりも奥まった所に光入射面１９ｃ，１９ｄと対向し光を反射する光反射面２２ｂを有し、一対のＬＥＤ基板１７１，１７１間に形成される隙間Ｓ１，Ｓ２から光反射面２２ｂの一部が露出する形で他方のＬＥＤ基板１７１の端部１７２と重畳する光反射延設部２２と、を備える。
【００６２】
本実施形態の照明装置１２は、このような構成を備えていると、一対のＬＥＤ基板１７，１７間に形成される隙間Ｓ１，Ｓ２に進入した光は、隙間Ｓ１，Ｓ２から露出する光反射面２２ｂによって導光板１９の光入射面１９ｃ，１９ｄ側に反射されることになる。その結果、導光板１９の光入射面１９ｃ，１９ｄのうち隙間Ｓ１，Ｓ２と対向する部分と、それ以外の部分との間における光入射量の差が少なくなり、導光板１９の光出射面１９ａから出射される光に前記隙間１９ｃ，１９ｄに由来する輝度ムラが発生することが抑制される。
【００６３】
また、本実施形態の照明装置１２は、他方のＬＥＤ基板の端部１７２における実装面１７ａの反対側に設けられ、光反射延設部２２が収容される収容部２３を備えるものである。このように、他方のＬＥＤユニットＬＵ２の端部１７２における実装面１７ａの反対側に、収容部２３が設けられていると、光反射延設部２２の位置をＬＥＤ基板１７１の厚み方向（Ｙ軸方向）に沿って調節することが可能となる。つまり、光反射延設部２２に形成されている光反射面２２ｂの位置を前後方向（Ｙ軸方向）に調節することができる。また、収容部２３が設けられることによって、光反射延設部２２と、ＬＥＤユニットＬＵ２側の端部１７２とが重畳した部分の厚みを小さくすることができる。
【００６４】
また、本実施形態の照明装置１２は、収容部２３が、ＬＥＤユニットＬＵ２側のＬＥＤ基板１７の端部１７２における厚みが薄くなるように、実装面１７ａの反対側１７ｂから凹んだ形をなしている。収容部２３としては、このような凹んだ形であると、光反射延設部２２を収容し易い。
【００６５】
また、本実施形態の照明装置１２は、収容部２３が、ＬＥＤユニットＬＵ２側のＬＥＤ基板１７の端部１７２における反対側１７ｂと、光反射延設部２２の光反射面２２ｂとの間に隙間Ｔが形成されるような大きさを有するものである。収容部２３がこのような大きさを有するものであると、ＬＥＤユニットＬＵ１，ＬＵ２が熱膨張等の影響により伸縮して、長手方向（Ｘ軸方向）に沿って各端部１７１，１７２が移動した場合であっても、ＬＥＤユニットＬＵ２側の端部１７２が、ＬＥＤユニットＬＵ１の端部１７１に設けられている光反射延設部２２に接触することが抑制される。したがって、ＬＥＤユニットＬＵ２側の端部１７２が接触して、光反射層２２ｂが剥がれる等して損傷することが抑制される。
【００６６】
また、本実施形態の照明装置１２は、実装面１７ａが、ＬＥＤ１６が実装されていない領域に光反射膜を含むものからなる。このように、ＬＥＤ基板１７の実装面１７ａが、その最表面に光反射膜を含んでいると、ＬＥＤ１６から発せられた光が実装面１７ａで反射されて、光入射面１９ｃ，１９ｄに入射する光を多くすることができる。なお、この光反射膜で使用した材料を、光反射延設部２２に形成される光反射面２２ｂの材料として使用することができる。
【００６７】
また、本実施形態の照明装置１２は、光反射面２２ｂが、実装面１７ａに対して平行に配されている。このように、光反射面２２ｂが実装面１７ａに対して平行に配されていると、ＬＥＤ基板１７の実装面１７ａと光反射面２２ｂとが、同じ方向（つまり、光入射面１９ｃ，１９ｄ側）を向くことになり、光反射面２２ｂは、実装面１７ａと同じように、光入射面１９ｃ，１９ｄ側に効率よく、光を反射し易くなる。
【００６８】
また、本実施形態の照明装置１２は、ＬＥＤユニットＬＵ２側のＬＥＤ基板１７の端部１７２における実装面１７ａに、ＬＥＤ１６が収容部２３とＬＥＤ基板１７の厚み方向において、重畳する形で実装されている。このように、ＬＥＤ１６が収容部２３と重畳する形で、ＬＥＤ基板１７の端部１７２に実装されてもよい。つまり、本実施形態の照明装置１２では、ＬＥＤ１６が適宜、収容部２３と重畳する形で前記端部１７２に実装されることになり、隣り合ったＬＥＤ１６同士の間隔（ピッチ）を狭く設定することができる。
【００６９】
また、本実施形態の照明装置１２は、一方のＬＥＤユニットＬＵ１におけるＬＥＤ基板１７１と、他方のＬＥＤユニットＬＵ２におけるＬＥＤ基板１７１とが、共通化されている。つまり、一方のＬＥＤユニットＬＵ１におけるＬＥＤ基板１７１と、他方のＬＥＤユニットＬＵ２におけるＬＥＤ基板１７１とが、互いに同じ構造からなり、共用可能となっている。また、ＬＥＤユニットＬＵ３，ＬＵ４についても、同様に、互いに同じ構造からなり、共用可能となっている。そのため、本実施形態では、必要な、ＬＥＤユニットＬＵ（ＬＥＤ基板１７１）の種類を少なくすることができ、製造コスト等を削減することができる。
【００７０】
＜実施形態２＞
次いで、本発明の実施形態２を、図８を参照しつつ説明する。なお、以降の各実施形態では、実施形態１と同じ部分については、実施形態１のものと同じ符号を付して、その詳細な説明は省略する。図８は、実施形態２に係る照明装置で利用される一対のＬＥＤユニットＬＵ１Ａ，ＬＵ２Ａにおける隣接部分の拡大上面図である。本実施形態のＬＥＤユニットＬＵ１Ａ，ＬＵ２Ａは、ＬＥＤ基板１７の実装面１７ａ上に実装されているＬＥＤ１６同士の間隔Ｐ２が、実施形態１のもの（間隔Ｐ１）よりも大きく設定されている。そして、ＬＥＤユニットＬＵ２Ａ側の端部１７２において、収容部２３と重畳する形で、ＬＥＤ１６が実装されている。なお、本実施形態では、ＬＥＤ１６が収容部２３と重畳する範囲（部分）が、実施形態１の場合よりも小さくなっている。このように、ＬＥＤ１６が収容部２３と重畳する範囲は、求められるＬＥＤ１６同士の間隔Ｐ２等に応じて、適宜、設定することができる。なお、ＬＥＤユニットＬＵ１Ａの端部１７１に実装されているＬＥＤ１６と、ＬＥＤユニットＬＵ２Ａの端部１７２に実装されているＬＥＤ１６との間の間隔は、上述した間隔Ｐ２と略同じとなるように設定されている。
【００７１】
＜実施形態３＞
次いで、本発明の実施形態３を、図９を参照しつつ説明する。図９は、実施形態３に係る照明装置で利用される一対のＬＥＤユニットＬＵ１Ｂ，ＬＵ２Ｂにおける隣接部分の拡大上面図である。本実施形態のＬＥＤユニットＬＵ１Ｂ，ＬＵ２Ｂは、ＬＥＤ基板１７の実装面１７ａ上に実装されているＬＥＤ１６同士の間隔Ｐ３が、実施形態１のもの（間隔Ｐ２）よりも大きく設定されている。つまり、間隔Ｐ３は、実施形態１のもの（間隔Ｐ１）よりも大きく設定されている。そして、ＬＥＤユニットＬＵ２Ｂ側の端部１７２において、収容部２３と重畳する形で、ＬＥＤ１６が実装されている。なお、本実施形態では、ＬＥＤ１６が収容部２３と重畳する範囲（部分）が、実施形態２の場合よりも更に小さくなっている。本実施形態の場合、ＬＥＤ１６の側部（Ｘ軸方向における側部）にある電極部１６１の一部が、収容部２３と重畳する形となっている。つまり、光を発する部分は、端部１７２上に実装されていない。このように、ＬＥＤ１６が収容部２３と重畳する範囲は、実施形態２と同様、求められるＬＥＤ１６同士の間隔Ｐ３等に応じて、適宜、設定することができる。なお、ＬＥＤユニットＬＵ１Ｂの端部１７１に実装されているＬＥＤ１６と、ＬＥＤユニットＬＵ２Ｂの端部１７２に実装されているＬＥＤ１６との間の間隔は、上述した間隔Ｐ３と略同じとなるように設定されている。
【００７２】
＜実施形態４＞
次いで、本発明の実施形態４を、図１０を参照しつつ説明する。図１０は、実施形態４に係る照明装置で利用される一対のＬＥＤユニットＬＵ１Ｃ，ＬＵ２Ｃの上面図である。本実施形態の各ＬＥＤユニットＬＵ１Ｃ，ＬＵ２Ｃは、互いに隣接していない方の各端部１７３Ｃ，１７４Ｃに、実施形態１のような、光反射延設部２２や収容部２３に相当する部分を備えていない。各ＬＥＤユニットＬＵ１Ｃ，ＬＵ２Ｃの各端部１７３Ｃ，１７４Ｃは、それぞれ他のＬＥＤ基板１７の部分と同様の厚みを備えており、端面が平坦な形をなしている。本実施形態では、ＬＥＤユニットＬＵ１Ｃと、ＬＥＤユニットＬＵ２Ｃとは、互いに構造が共通化されていない。このように、ＬＥＤユニットＬＵ１Ｃと、ＬＥＤユニットＬＵ２Ｃとが、互いに構造が異なるものであってもよい。
【００７３】
＜実施形態５＞
次いで、本発明の実施形態５を、図１１を参照しつつ説明する。図１１は、実施形態５に係る照明装置で利用される一対のＬＥＤユニットＬＵ１Ｄ，ＬＵ２Ｄにおける隣接部分の拡大上面図である。ＬＥＤユニットＬＵ１Ｄの端部１７１に設けられている光反射延設部２２Ｄは、実施形態１と同様な支持本体部２２Ｄａを備えている。ただし、本実施形態の場合、支持本体部２２Ｄａの表面（導光板１９の光入射面１９ｃ側を向く表面）に形成されている光反射層２２Ｄｂの光反射率が、各ＬＥＤユニットＬＵ１Ｄ，ＬＵ２Ｄにおける実装面１７ａの光反射率よりも高く設定されている。実装面１７ａには、実施形態１と同様、白色の絶縁膜からなる反射層が形成されている。前記絶縁膜には、所定量の白色顔料が添加されている。光反射延設部２２Ｄに形成されている光反射層（光反射面）２２Ｄｂは、実装面１７ａと同様な、白色の絶縁膜からなるものの、前記絶縁膜中に添加されている白色顔料の量が、実装面１７ａ上に形成されているものよりも、多くなっており、光反射率が高められている。光反射層（光反射面）２２Ｄｂは、ＬＥＤ基板１７１の実装面１７ａと比べて、導光板１９の光入射面１９ｃから遠ざかっており、位置的に光反射効率が低くなっている。そのため、本実施形態では、隙間Ｓ１に進入した光が光反射層２２Ｄｂ（特に、隙間Ｓ１から露出する部分の光反射層２２Ｄｂ）によって高効率で反射されることにより、隙間Ｓ１と対向する部分の光入射面１９Ｃに、反射光が入射され易くなっている。その結果、導光板１９の光入射面１９ｃのうち隙間Ｓ１と対向する部分と、それ以外の部分との間における光入射量の差がより少なくなり、導光板１９の光出射面１９ａから出射される光に前記隙間１９ｃに由来する輝度ムラが発生することがより抑制されることになる。
【００７４】
＜他の実施形態＞
本発明は上記記述及び図面によって説明した実施形態に限定されるものではなく、例えば次のような実施形態も本発明の技術的範囲に含まれる。
【００７５】
（１）上記実施形態では、１つのＬＥＤ列（光源列）Ｌ１が、２つのサブＬＥＤ列（サブ光源列）Ｌ１１，Ｌ１２から構成されるものであったが、他の実施形態においては、１つのＬＥＤ列が、３つ以上のサブＬＥＤ列から構成されるものであってもよい。つまり、３つ以上のＬＥＤ基板を一列に並べたものを、導光板１９の光入射面と対向配置させてもよい。
【００７６】
（２）上記実施形態では、隣り合った一対のＬＥＤ基板１７は、共に同じ厚みを備えるものであったが、他の実施形態においては、例えば、一方のＬＥＤユニットＬＵ１側におけるＬＥＤ基板の厚みを、他方のＬＥＤユニットＬＵ２側におけるＬＥＤ基板の厚みよりも、大きく設定してもよい。そして、ＬＥＤユニットＬＵ２側の端部１７２には、収容部２３が形成されていなくてもよい。つまり、実施形態１のＬＥＤユニットＬＵ２において、収容部２３が形成されている部分（厚みが薄くなっている部分）の端部１７１の厚みが、ＬＥＤユニットＬＵ２のＬＥＤ基板全体の厚みとして設定されているものであってもよい。このような構成であれば、光反射延設部２２を収容するための収容部２３をＬＥＤユニットＬＵ２側に設ける必要がない。
【００７７】
（３）上記実施形態では、ＬＥＤ列（光源列）Ｌ１をなすＬＥＤ１６同士の間隔は、略一定（略等間隔）に設定されていたが、他の実施形態においては、ＬＥＤ１６同士の間隔が一定でなくてもよい。
【００７８】
（４）上記実施形態では、光反射延設部２２の支持本体部２２ａは、ＬＥＤ基板１７の基材と一体的に連続した状態で設けられていたが、他の実施形態においては、本発明の目的を損なわない限り、ＬＥＤ基板１７の基材と別部材としてもよい。そして、接着剤や溶接等の公知の接続技術を利用して、光反射延設部２２の支持本体部２２ａを、ＬＥＤ基板１７の基材に接続してもよい。
【００７９】
（５）上記実施形態では、光源としてＬＥＤ１６を利用するものを例示したが、他の実施形態においては、ＬＥＤ１６以外の光源を利用してもよい。
【００８０】
（６）他の実施形態においては、例えば、導光板の１つの端面のみに、ＬＥＤ（ＬＥＤユニット）が対向するような構成であってもよい。
【００８１】
（７）上記実施形態では、ＬＥＤユニットＬＵがシャーシの壁部で固定される構成となっていたが、他の実施形態においては、例えば、ＬＥＤユニットＬＵを放熱部材（ヒートスプレッダ）に固定した状態でシャーシに取り付けられる構成であってもよい。
【００８２】
（８）光反射延設部に形成される光反射面（光反射層）が絶縁性の光反射膜からなると、一方のＬＥＤ基板の端部に設けられている前記光反射延設部が、他方のＬＥＤ基板の端部に接触等して、互いに不必要な通電が発生することが抑制される。
【００８３】
（９）上記実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【００８４】
（１０）上記実施形態では、液晶表示装置のスイッチング素子としてＴＦＴを用いたが、ＴＦＴ以外のスイッチング素子（例えば薄膜ダイオード（ＴＦＤ））を用いた液晶表示装置にも本発明は適用可能であり、また、カラー表示する液晶表示装置以外にも、白黒表示する液晶表示装置にも適用可能である。
【００８５】
（１１）上記実施形態では、表示パネルとして液晶パネルを用いた液晶表示装置を例示したが、他の種類の表示パネルを用いた表示装置にも本発明は適用可能である。
【００８６】
（１２）上記実施形態では、チューナーを備えたテレビ受信装置を例示したが、チューナーを備えていない表示装置にも本発明は適用可能である。
【符号の説明】
【００８７】
１０…液晶表示装置（表示装置）、１１…液晶パネル（表示パネル）、１２…照明装置、１３…ベゼル、１４…シャーシ、１５…光学シート（光学部材）、１６…光源（ＬＥＤ）、１７…ＬＥＤ基板（光源基板）、１９…導光板、１９ａ…表側の板面（光出射面）、１９ｃ，１９ｄ…光入射面、２０…反射シート、２１…フレーム、２２…光反射延設部、２２ａ…支持本体部、２２ｂ…光反射面（光反射層）、２３…収容部、１７１，１７２…ＬＥＤ基板の端部、Ｌ１，Ｌ２…ＬＥＤ列（光源列）、Ｌ１１，Ｌ１２，Ｌ２１，Ｌ２２…サブＬＥＤ列（サブ光源列）、Ｓ１，Ｓ２…隙間、Ｔ…隙間、ＴＶ…テレビ受信装置
【図１】
2014029804.tif 000003
【図２】
2014029804.tif 000004
【図３】
2014029804.tif 000005
【図４】
2014029804.tif 000006
【図５】
2014029804.tif 000007
【図６】
2014029804.tif 000008
【図７】
2014029804.tif 000009
【図８】
2014029804.tif 000010
【図９】
2014029804.tif 000011
【図１０】
2014029804.tif 000012
【図１１】
2014029804.tif 000013